(57)【要約】  カードをプリント回路基板に接続するためのコネクタが提供される。コネクタ（１）はハウジング（２）と複数の端子（３）とを具備している。ハウジング（２）は、複数のスロット（４１，４２，４３，４４，４５，４６）とそのそれぞれの複数のスロット（４１，４２，４３，４４，４５，４６）の周囲に配置された少なくとも１つの溝とを含んでいる。それぞれの複数の端子（３）は、カードに接触するための接触部（３１）と、固定部（３２）と、固定部（３２）から垂直に延伸した４つの脚部（３４，３５，３６，３７）と、固定部（３２）から延伸してプリント回路基板にはんだ付けされるはんだ付け部（３９）とを含んでいる。端子（３）は、少なくとも１つの溝内に少なくとも１つの端子（３）の脚部が挿入されることでハウジング（２）に固定される。はんだ付け部（３９）は接触部（３１）からオフセットされて、接触部（３１）がはんだ付け部（３９）に向かって押された場合に、接触部（３１）ははんだ付け部（３９）に接触しないようにされている。
2008544462.tif 000002
【特許請求の範囲】
【請求項１】
複数の端子（３）を収容するためのハウジング（２）であって、前記複数の端子（３）はそれぞれ接触部（３１）と、固定部（３２）と、該固定部（３２）から延伸している少なくとも１つの脚部（３４，３５，３６，３７）と、を含んでいるハウジング（２）において、該ハウジング（２）は、
個々に前記複数の端子（３）を受容するための複数のスロット（４１，４２，４３，４４，４５，４６）と、
それぞれの前記複数のスロット（４１，４２，４３，４４，４５，４６）の周囲に配置された少なくとも１つの溝であって、少なくとも１つの該溝内にそれぞれの前記複数の端子（３）の少なくとも１つの脚部（３４，３５，３６，３７）が挿入される溝と、を具備していることを特徴とするハウジング（２）。
【請求項２】
前記少なくとも１つの溝の数は４つであり、前記４つの溝は溝２４、溝２５、溝２６および溝２７であることを特徴とする、請求項１に記載のハウジング（２）。
【請求項３】
第４の溝（２７）は第１、第２および第３の溝（２４，２５，２６）よりも、一致しているスロットから遠くに配置されていることを特徴とする、請求項２に記載のハウジング（２）。
【請求項４】
前記１つの端子（３）のための前記４つの溝（２４，２５，２６，２７）は、第１の高さにおいて第１の凹部（４４ａ，４５ａ，４６ａ，５１ａ，５２ａ，５３ａ）内に形成されていることを特徴とする、請求項２に記載のハウジング（２）。
【請求項５】
第２の高さにおいて第２の凹部（４４ｂ，４５ｂ，４６ｂ，５１ｂ，５２ｂ，５３ｂ）をさらに具備していることを特徴とする、請求項２に記載のハウジング（２）。
【請求項６】
コネクタに使用される端子（３）において、該端子は（３）、
接触部（３１）と、
該接触部（３１）に隣接した固定部（３２）と、
該固定部（３２）から垂直に延伸している、少なくとも１つの脚部（３４，３５，３６，３７）と、
前記接触部（３１）から延伸して、かつ前記接触部（３１）からオフセットされたはんだ付け部（３９）であって、前記接触部（３１）が前記はんだ付け部（３９）に向かって押された場合に前記接触部（３１）が前記はんだ付け部（３９）と接触しないようにされているはんだ付け部（３９）と、を具備していることを特徴とする端子（３）。
【請求項７】
前記少なくとも１つの脚部の数は４つであることを特徴とする、請求項６に記載の端子（３）。
【請求項８】
前記固定部（３２）と前記接触部（３１）とは略Ｕ字形状に形成されていることを特徴とする、請求項６に記載の端子（３）。
【請求項９】
カードをプリント回路基板に接続するためのコネクタ（１）であって、
ハウジング（２）と、
複数の端子（３）と、を具備し、
前記ハウジング（２）は、複数のスロット（４１，４２，４３，４４，４５，４６）と、それぞれの該複数のスロット（４１，４２，４３，４４，４５，４６）の周囲に配置された少なくとも１つの溝と、を含み、
それぞれの前記複数の端子（３）は、前記カードに接触されるための接触部（３１）と、該接触部（３１）に隣接した固定部（３２）であって、該固定部（３２）から垂直に延伸した少なくとも１つの脚部（３４，３５，３６，３７）を備えた固定部（３２）と、前記固定部（３２）から延伸して、かつ前記プリント回路基板にはんだ付けされるはんだ付け部（３９）と、を含み、
前記ハウジングの少なくとも１つの溝内に前記少なくとも１つの脚部が挿入されて、前記端子（３）が前記ハウジング（２）に組みつけられているコネクタ（１）において、
前記はんだ付け部（３９）は前記接触部（３１）からオフセットされて、該接触部（３１）が前記はんだ付け部（３９）に向かって押された場合に、前記接触部（３１）は前記はんだ付け部（３９）に接触しないようにされていることを特徴とするコネクタ（１）。
【請求項１０】
前記少なくとも１つの溝の数は４つであり、前記４つの溝は溝２４、溝２５、溝２６および溝２７であることを特徴とする、請求項９に記載のコネクタ（１）。
【請求項１１】
第４の溝（２７）は第１の溝（２４）、第２の溝（２５）および第３の溝（２６）よりも、一致しているスロットから遠くに配置されていることを特徴とする、請求項１０に記載のコネクタ（１）。
【請求項１２】
前記１つの端子（３）のための前記４つの溝（２４，２５，２６，２７）は、第１の高さにおいて第１の凹部（４４ａ，４５ａ，４６ａ，５１ａ，５２ａ，５３ａ）内に形成されていることを特徴とする、請求項１０に記載のコネクタ（１）。
【請求項１３】
前記ハウジング（２）は、第２の高さにおいて第２の凹部（４４ｂ，４５ｂ，４６ｂ，５１ｂ，５２ｂ，５３ｂ）をさらに具備していることを特徴とする、請求項１２に記載のコネクタ（１）。
【請求項１４】
前記固定部（３２）は前記はんだ付け部（３９）とは異なった高さにあることを特徴とする、請求項１２に記載のコネクタ（１）。
【請求項１５】
前記少なくとも１つの脚部の数は４つであり、前記４つの脚部は脚部３４、脚部３５、脚部３６および脚部３７であることを特徴とする、請求項９に記載のコネクタ（１）。
【発明の詳細な説明】
【技術分野】
【０００１】
本発明はカードコネクタの端子およびハウジング、並びにその端子とハウジングとを使用したコネクタに関する。
【背景技術】
【０００２】
本発明の特別な応用例は、プリント回路基板に固着されるコネクタであり、例えば、表面実装用に設計されたコネクタであって、超小型回路のインテリジェントカードと超小型回路の電子システムとの間の電気的接続を提供するためのコネクタである。例えば、その電子システムはインテリジェントカードリーダまたは携帯電話である。
【０００３】
情報科学および情報技術の発展において、携帯電話および他の個人的な情報伝達機器はより幅広い分野で使用されるようになった。本発明は、プリント回路基板にはんだ付けされる脚部を備えたコネクタであり、表面実装技術を利用するために設計され、全体の体積および領域を減少させるという目的を達成したものである。それぞれの脚部の一端は扁平化されており、プリント回路基板との接触面を備えている。はんだ付けされるそれぞれの脚部は、プリント回路基板と接触状態にされる接触面を形成している。関連する発明は特許文献１に開示されている。その特許文献１は、絶縁構造部と複数の細長い弾性導電性ストリップとを備えた発明を開示している。それぞれの細長いストリップは第１の上側端部と第２の下側端部とを備え、接触脚部の形状を形成して、それぞれの細長いストリップは絶縁構造部内に配置されている。それぞれの接触脚部はプリント回路板の表面に好適にはんだ付けされ、それぞれの接触脚部は垂直に予圧されて、脚部のプロファイルよりも低くされている。従って、それぞれのはんだ付けされた脚部は同じ高さである。この高さに関して、本発明は更なる改良を加えた。
【特許文献１】米国特許出願公開第２００１／００３４１６２号明細書
【発明の開示】
【発明が解決しようとする課題】
【０００４】
本発明はカードコネクタに関するものであり、より具体的には、ＳＩＭカードを受容するためのＳＩＭカードコネクタに関するものである。この種のコネクタは、大部分が携帯機器に必要とされており、従って空間が重要な要因となり、機能を損なうことなくどのようにして効果的に空間を減少させるかということが、重要な課題となっている。
【課題を解決するための手段】
【０００５】
本発明によれば、ハウジングは複数の完全に中空なスロットを備え、そのスロットは複数の端子が容易に組みつけられる。さらに、スロット内に組みつけられる複数の端子は、カードと接触するための上側端部とプリント回路基板にはんだ付けされるのに使用される下側端部とを備えている。それぞれの端子の上側端部は下側端部からオフセットして設計されており、コネクタのプロファイルを効果的に扁平化している。従って、本発明において、接触効果を維持する状態の下に、ＳＩＭカードコネクタのプロファイルの効果的な扁平化の機能は達成されている。上述の機能を達成するために、本発明によるコネクタは、複数のスロット（４１，４２，４３，４４，４５，４６）とそれぞれの該複数のスロット（４１，４２，４３，４４，４５，４６）の周囲に配置された少なくとも１つの溝とを含んだハウジング（２）、および複数の端子（３）を具備している。コネクタに使用される端子（３）は、カードに接触するための接触部（３１）と、その接触部に隣接した固定部（３２）と、固定部（３２）から延伸してプリント回路基板にはんだ付けされるためのはんだ付け部（３９）とを具備している。端子（３）は、端子の少なくとも１つの脚部を、少なくとも１つの溝内に挿入することで組み付けられ、これによって端子はハウジング（２）に容易に組みつけられる。さらに、端子のはんだ付け部（３９）は接触部（３１）の中心線からオフセットして設計されており、接触部（３１）がはんだ付け部（３９）に向かって押された場合に、接触部（３１）がはんだ付け部（３９）に接触しないようにされている。これによって利用スペースの柔軟性が増大している。
【発明を実施するための最良の形態】
【０００６】
図１および２に示されているように、カードをプリント回路基板に接続するためのコネクタは、ハウジング（２）と端子（３）とを具備している。端子は接触部（３１）、固定部（３２）、およびはんだ付け部（３９）を備えている。複数の端子を収容するためのハウジング２が、図３に示されている。そのハウジング（２）は、それぞれ複数の端子（３）を収容するために使用される複数のスロット（４１，４２，４３，４４，４５，４６）と、４つの溝（２４，２５，２６，２７）とを具備し、それら４つの溝はそれぞれの複数のスロット（４１，４２，４３，４４，４５，４６）周囲に配置され、それぞれ複数の端子の脚部（３４，３５，３６，３７）を受容して、端子の組み付け機能を達成している。４つの溝（２４，２５，２６，２７）のうちの第４の溝（２７）は、第１、第２および第３の溝（２４，２５，２６）よりもスロットに対応する位置から遠くに配置されている。１つの端子（３）のための４つの溝（２４，２５，２６，２７）は、第１の高さにおいて第１の凹部（４４ａ，４５ａ，４６ａ，５１ａ，５２ａ，５３ａ）内に形成されている。ハウジングは第２の高さにおいて第２の凹部（４４ｂ，４５ｂ，４６ｂ，５１ｂ，５２ｂ，５３ｂ）を具備している。
【０００７】
図４は端子（３）を示している。端子（３）は接触部（３１）、該接触部（３１）に隣接した固定部（３２）、該固定部（３２）から垂直に延伸している４つの脚部（３４，３５，３６，３７）、およびはんだ付け部（３９）を具備している。上述のように、固定部（３２）は接触部（３１）に隣接しており、略Ｕ字形状に形成された２つの部分（３１，３２）からなる。さらに、はんだ付け部（３９）は接触部（３１）から延伸し、該接触部（３１）の中心線からオフセットして、接触部（３１）がはんだ付け部（３９）に向かって押された場合に、接触部（３１）がはんだ付け部（３９）と接触しないようになっており、これによって高さを減少させることを達成している。
【０００８】
図１は最適な組み付け様式も示している。複数の端子（３）の４つの脚部（３４，３５，３６，３７）は個々に４つの溝（２４，２５，２６，２７）に挿入され、ハウジング（２）に組みつけられている。はんだ付け部（３９）は接触部（３１）の中心線からオフセットしており、接触部（３１）がはんだ付け部（３９）に向かって押された場合に、接触部（３１）がはんだ付け部（３９）と接触しないようになっており、これによって高さを減少させることを達成している。従って図３に示されているように、４つの溝（２４，２５，２６，２７）のうちの第４の溝（２７）は第１、第２および第３の溝（２４，２５，２６）よりも遠くに配置され、それははんだ付け部が側部にオフセットされなければならないためであり、第４の溝（２７）の位置は他の３つの溝よりも遠くになっている。図３に示されているように、それぞれの端子（３）に使用された４つの溝（２４，２５，２６，２７）は、第１の高さにおいて第１の凹部（４４ａ，４５ａ，４６ａ，５１ａ，５２ａ，５３ａ）に形成されていてもよく、その位置は固定部（３２）の位置である。本発明によるコネクタは、第２の高さにおいて第２の凹部（４４ｂ，４５ｂ，４６ｂ，５１ｂ，５２ｂ，５３ｂ）をさらに具備しており、その位置ははんだ付け部（３９）の位置である。従って、固定部（３２）ははんだ付け部（３９）とは異なった高さに配置されている。
【図面の簡単な説明】
【０００９】
【図１】本発明によるコネクタの好適な実施形態の底面の斜視図を示している。
【図２】本発明によるコネクタの好適な実施形態の正面の斜視図を示している。
【図３】本発明によるハウジングの好適な実施形態の底面の斜視図を示している。
【図４】本発明による端子の好適な実施形態の斜視図を示している。
【符号の説明】
【００１０】
１          コネクタ
２          ハウジング
３          端子
２４，２５，２６，２７    溝
３１        接触部
３２        固定部
３４，３５，３６，３７    脚部
３９        はんだ付け部
４１，４２，４３，４４，４５，４６    スロット
４４ａ，４５ａ，４６ａ，５１ａ，５２ａ，５３ａ    第１の凹部
４４ｂ，４５ｂ，４６ｂ，５１ｂ，５２ｂ，５３ｂ    第２の凹部
【図１】
2008544462.tif 000003
【図２】
2008544462.tif 000004
【図３】
2008544462.tif 000005
【図４】
2008544462.tif 000006
【国際調査報告】
2008544462.tif 000007
2008544462.tif 000008
2008544462.tif 000009
2008544462.tif 000010
2008544462.tif 000011